(57)【要約】【課題】電磁波ノイズ（ＥＭＩ）を効果的に抑制する。【解決手段】多数接続される負荷をグループ分けし、グループ毎に周波数を設定することで、ＥＭＩの重畳を抑制する。また、多芯フラットケーブルを、アナログ信号系ラインとデジタル系信号ラインとに分けることにより、隣接する駆動波形電圧同士による電気的クロストークを抑制する。さらに、多芯フラットケーブルを、アナログ系信号ライン（線番１側）が外側となるように、２回以上折畳んだ形状とする。これにより、内側のデジタル系信号ラインから放射されるＥＭＩを、外側のアナログ系信号ラインに配置されたＧＮＤラインでシールドすることができる。このため、多芯フラットケーブルがケーブル単体として放射するＥＭＩを抑制することができる。【選択図】図９
2015054465.tif 000002
【特許請求の範囲】
【請求項１】
複数のインクジェット記録ヘッドと、
前記インクジェット記録ヘッドを駆動するための、基準クロック周波数とは異なるクロック周波数のクロック信号を生成する複数の駆動制御部と、
複数のアナログ信号ラインおよびグランドラインを備えたアナログ系信号ラインと、複数のデジタル信号ラインを備えたデジタル系信号ラインとを含み、前記アナログ系信号ラインが外側となるように折畳んだ形状を備え、前記インクジェット記録ヘッドと前記駆動制御部とを接続する複数の多芯フラットケーブルと
を有するインクジェット記録装置。
【請求項２】
前記複数の多芯フラットケーブルは、前記アナログ系信号ラインが外側となるように折り畳まれた各多芯フラットケーブル同士を、アナログ系信号ラインが外側となるように重ねて形成されていること
を特徴とする請求項１に記載のインクジェット記録装置。
【請求項３】
前記多芯フラットケーブルは、アナログ系信号ラインが外側となるように渦巻き状に巻回した形状を有すること
を特徴とする請求項１に記載のインクジェット記録装置。
【請求項４】
前記多芯フラットケーブルは、前記アナログ系信号ラインが外側となるように渦巻き状に巻回した形状とされた各多芯フラットケーブル同士を束ねて形成されていること
を特徴とする請求項３に記載のインクジェット記録装置。
【請求項５】
前記インクジェット記録ヘッドは、ライン状に複数配置されていること
を特徴とする請求項１から請求項４のうち、いずれか一項に記載のインクジェット記録装置。
【請求項６】
前記駆動制御部は、設定された各クロック周波数による電磁波ノイズが特定の周波数帯域に重畳することを防止するように決定された、前記基準クロック周波数とは異なるクロック周波数のクロック信号を生成すること
を特徴とする請求項１から請求項５のうち、いずれか一項に記載のインクジェット記録装置。
【請求項７】
前記駆動制御部は、同一インク色の前記インクジェット記録ヘッドを同一グループとし、グループ毎に伝送するクロック周波数を設定すること
を特徴とする請求項１から請求項６のうち、いずれか一項に記載のインクジェット記録装置。
【請求項８】
前記駆動制御部は、隣接する前記インクジェット記録ヘッドを異なるグループとし、グループ毎に伝送するクロック周波数を設定すること
を特徴とする請求項１から請求項６のうち、いずれか一項に記載のインクジェット記録装置。
【発明の詳細な説明】
【技術分野】
【０００１】
本発明は、インクジェット記録装置に関する。
【背景技術】
【０００２】
近年、コンピュータ装置等の電子機器から放出される電磁波ノイズ（ＥＭＩ）によって、他の電子機器に障害を及ぼす問題が発生している。このためＶＣＣＩ（情報処理装置等電波障害自主協議会）では、放射されるＥＭＩレベルを定められた規格値以下に抑えるように規制している。ＥＭＩの一部は、発生源である電子回路部分が高周波デジタル信号を伝送する際に、基板間を接続するケーブルをアンテナとして放射される。ＥＭＩ抑制手段として、発生源である電子回路部分はシミュレーション技術が進んだことで、容易に対策を実施できる。
【０００３】
しかし、ＥＭＩの放射源となるケーブルは、実機での実装位置や配置の仕方等による要因変動が大きい。このため、シミュレーション技術を用いた予測が困難であり、実機実装時に対策しているのが現状である。
【０００４】
ここで、特許文献１（特開２００６−１０６３３１号公報）には、互いに異なる基本周波数を有するスペクトラム拡散クロックジェネレータを用いて、同一基本周波数によるケーブルからの放射ＥＭＩの重畳を抑制する方法が開示されている。
【０００５】
また、特許文献２（特開２００４−１２２５８４号公報）には、フラットケーブルを導電性部材に這わせ、導電性部材をグランドレベル（ＧＮＤレベル）に接続した筐体金属に固定することで、放射ＥＭＩを抑制する方法が開示されている。
【発明の概要】
【発明が解決しようとする課題】
【０００６】
特許文献１に開示されている技術は、多数の負荷を接続する機器において、設定できるクロック周波数は限られる。このため、負荷をグループ分けし、グループ毎にクロック周波数を設定することも考えられるが、グループ内での同一周波数によるケーブルからの放射ＥＭＩが重畳する問題がある。
【０００７】
特許文献２に開示されている技術は、ＧＮＤレベルに接続した筐体金属に這わせるため、実装経路が限定される問題がある。また、１本のケーブルに対し１つの導電性部材を必要とするため、新たな部材の追加が必要となる問題がある。
【０００８】
本発明は、ＥＭＩを効果的に抑制したインクジェット記録装置の提供を目的とする。
【課題を解決するための手段】
【０００９】
上述した課題を解決し、目的を達成するために、本発明は、複数のインクジェット記録ヘッドと、インクジェット記録ヘッドを駆動するための、基準クロック周波数とは異なるクロック周波数のクロック信号を生成する複数の駆動制御部と、複数のアナログ信号ラインおよびグランドラインを備えたアナログ系信号ラインと、複数のデジタル信号ラインを備えたデジタル系信号ラインとを含み、アナログ系信号ラインが外側となるように折畳んだ形状を備え、インクジェット記録ヘッドと駆動制御部とを接続する複数の多芯フラットケーブルとを有する。
【発明の効果】
【００１０】
本発明によれば、電磁波ノイズ（ＥＭＩ）を効果的に抑制することができるという効果を奏する。
【図面の簡単な説明】
【００１１】
【図１】図１は、第１の実施の形態のインクジェット記録装置における全体構成図である。
【図２】図２は、インクジェット記録Ｍｄの斜視図である。
【図３】図３は、インクジェット記録ヘッドの配置構成を示す図である。
【図４】図４は、インクジェット記録ヘッドの拡大底面図である。
【図５】図５は、多数の負荷を接続する機器における問題点を説明するための図である。
【図６】図６は、第１の実施の形態のインクジェット記録装置に設けられているインクジェット記録ヘッドＭｄの側面図である。
【図７】図７は、インクジェット記録ヘッドＭｄの機能ブロック図である。
【図８】図８は、グループ毎に設定される各クロック周波数のクロック信号の波形図である。
【図９】図９は、第１の実施の形態のインクジェット記録装置における、送信側ＦＰＧＡと受信側ＦＰＧＡの動作を示すフローチャートである。
【図１０】図１０は、第１の実施の形態のインクジェット記録装置に設けられている多芯フラットケーブルの断面図である。
【図１１】図１１は、第１の実施の形態のインクジェット記録装置に設けられている多芯フラットケーブルの形状を示す図である。
【図１２】図１２は、第２の実施の形態のインクジェット記録装置に設けられている多芯フラットケーブルの形状を示す図である。
【図１３】図１３は、第３の実施の形態のインクジェット記録装置に設けられている多芯フラットケーブルの形状を示す図である。
【図１４】図１４は、第４の実施の形態のインクジェット記録装置に設けられている多芯フラットケーブルの形状を示す図である。
【発明を実施するための形態】
【００１２】
以下に添付図面を参照して、インクジェット記録装置の実施の形態を詳細に説明する。
【００１３】
（概要）
実施の形態のインクジェット記録装置は、多数の負荷を相当数の多芯フラットケーブルを介して接続する機器において、上位の駆動基板からグループ分けした負荷のグループ毎に、異なるクロック周波数を設定し伝送する。グループ毎に異なるクロック周波数を設定することで、上位の駆動基板に接続された負荷からの電磁波ノイズ（ＥＭＩ）を分散することができる。
【００１４】
また、実施の形態のインクジェット記録装置は、多芯フラットケーブルの片側の信号ラインを、グランド信号（ＧＮＤ信号)の多いアナログ系信号ラインとして使用する。また、もう片側の信号ラインはクロック信号を含むデジタル系信号ラインとして使用する。そして、アナログ系信号ラインが外側となるように折畳む。多芯フラットケーブルをアナログ系信号ラインが外側となるように折畳むことで、ＧＮＤ信号のケーブルをシールドとして作用させることができる。そして、上位の駆動基板にて設定されたクロック周波数が共通する負荷グループ毎において、接続された多芯フラットケーブルのデジタル信号ラインから放射されるＥＭＩの重畳を抑制することができる。
【００１５】
また、多数の負荷を接続する機器において、設定できるクロック周波数の種類が限られた場合、負荷のグループ毎に設定されたクロック周波数による多芯フラットケーブルからの放射ＥＭＩの重畳を抑制できる。また、電子機器内での多芯フラットケーブルを、筐体金属に這わせる必要がないため、実装経路を限定しない。また、信号伝送方法を制御することにより、多芯フラットケーブル単体でＥＭＩ抑制効果を持つため、新たな部材の追加を不用とすることができる。
【００１６】
（第１の実施の形態）
図１は、第１の実施の形態のインクジェット記録装置における全体構成図である。第１の実施の形態のインクジェット記録装置は、オンデマンド方式のライン走査型インクジェット記録装置となっている。このインクジェット記録装置は、装置本体Ｘと、記録媒体供給部２と、記録媒体回収部１３とを有している。装置本体Ｘは、記録媒体１と、記録媒体１の幅方向の位置決めを行う規制ガイド３と、記録媒体１の張力を一定に保つ駆動ローラと従動ローラのインフィード部４とを有している。
【００１７】
また、装置本体Ｘは、記録媒体１の張力に応じて上下し位置信号を出力するダンサローラ５と、ＥＰＣ（Edge  Position  Control）６と、蛇行量検出器７とを有している。また、装置本体Ｘは、インクジェット記録ヘッドモジュール（インクジェット記録Ｍｄ）８と、インクジェット記録Ｍｄ８と対向して設けられたプラテン９と、乾燥モジュール（乾燥Ｍｄ）１０とを有している。また、装置本体Ｘは、記録媒体１を設定された速度で駆動させる駆動ローラと従動ローラのアウトフィード部１１と、記録媒体１を装置外に排紙する駆動ローラと従動ローラからなるプラー１２とを有している。
【００１８】
インクジェット記録Ｍｄ８は、印字ノズルを印刷幅全域に配置したラインヘッドを有する。インクジェット記録Ｍｄ８は、カラー印刷を、ブラック、シアン、マゼンダ、イエローの各ラインヘッドにより行う。各ラインヘッドのノズル面は、プラテン９上に所定の隙間を保って支持されている。インクジェット記録Ｍｄ８が、記録媒体１の搬送速度に応じてインク吐出を行うことで、記録媒体１上にカラー画像が形成される。
【００１９】
図２に、インクジェット記録Ｍｄ８の斜視図を示す。インクジェット記録Ｍｄ８は、駆動制御基板１８と、インクジェット記録ヘッド１５と、多芯フラットケーブル１９と、アジャストプレート２０とを有している。駆動制御基板１８は、インクジェット記録ヘッド１５内の圧電素子を駆動するための駆動波形、および画像データを生成するための回路を設けたリジッド基板となっている。また、駆動制御基板１８は、駆動制御部の一例となっている。
【００２０】
多芯フラットケーブル１９は、駆動制御基板１８とインクジェット記録ヘッド１５とを電気的に接続している。アジャストプレート２０は、複数のインクジェット記録ヘッド１５を高精度に配置固定している。インクジェット記録ヘッド１５は、圧電素子を内蔵し、駆動制御基板１８から送信される駆動波形、および画像データに応じて圧電素子を駆動することで、記録媒体１にインク滴を吐出する。
【００２１】
一例ではあるが、実施の形態のインクジェット記録装置の場合、一枚の駆動制御基板１８で、最大４個のインクジェット記録ヘッド１５を制御可能となっている。また、アジャストプレート２０には、１６個のインクジェット記録ヘッド１５が設けられている（この場合、４枚の駆動制御基板１８が４枚必要となる）。なお、駆動制御基板１８が駆動する４個のインクジェット記録ヘッド１５の位置は任意である。
【００２２】
図３は、インクジェット記録ヘッド１５の配置構成を示す図である。図３に示すように、インクジェット記録ヘッドＭｄ８は、ブラック用ヘッドアレイ１４Ｋ、シアン用ヘッドアレイ１４Ｃ、マゼンダ用ヘッドアレイ１４Ｍ、およびイエロー用ヘッドアレイ１４Ｙの集合体により構成されている。ブラック用ヘッドアレイ１４Ｋは、ブラックのインク滴を吐出する。シアン用ヘッドアレイ１４Ｃは、シアンのインク滴を吐出する。マゼンダ用ヘッドアレイ１４Ｍは、マゼンダのインク滴を吐出する。イエロー用ヘッドアレイ１４Ｙは、イエローのインク滴を吐出する。
【００２３】
各ヘッドアレイ１４Ｋ，１４Ｃ，１４Ｍ，１４Ｙは、それぞれインクジェット記録ヘッド１５が、記録媒体１の搬送方向（矢印方向）と直交する方向に、ライン状に複数、設けられている。このようにインクジェット記録ヘッドＭｄ８をアレイ化することにより広域な印刷領域幅を確保している。
【００２４】
図４は、インクジェット記録ヘッド１５の拡大底面図である。インクジェット記録ヘッド１５のノズル面（底面）１７には、多数の印字ノズル１６が千鳥状に配列されている。この例の場合、１列が６４個の印字ノズル１６を、２列で千鳥状となるように配列している。このように、多数の印字ノズル１６を千鳥配列することで、高解像度化を図ることができる。
【００２５】
図５は、多数の負荷を接続する機器における問題点を説明するための図である。特許文献１（特開２００６−１０６３３１号公報）には、各負荷に対して周波数を設定する技術が開示されている。基準クロックから周波数を設定するためには、例えばＦＰＧＡ内で、基準クロック周波数を、分周（整数分の１倍）および逓倍（整数倍）する。そして、これら分周逓倍比を組み合わせることで、基準クロック周波数とは異なるクロック周波数のクロック信号を生成する。
【００２６】
特許文献１の技術の場合、負荷を多数接続する機器において、負荷数と同等の周波数種を設定するためには、上位の駆動基板に搭載されたＦＰＧＡ内で分周逓倍比の組み合わせを細分化し、多種のクロック周波数を生成する必要がある。しかし、分周逓倍比の組み合わせを細分化するほど、発生するジッタが大きくなる。なお、ジッタとは、図５の（ａ）の符号を付した図に示す正常なパルス信号に対して、図５の（ｂ）の符号を付した図に示すように、基準時間から時間軸方向に、パルスにズレまたは揺らぎを生じる現象である。ジッタが大きくなると隣接するパルス信号に干渉し、信号が正しく伝送されないおそれがある。
【００２７】
負荷を多数接続する機器において、ジッタを許容値に抑えるには、分周逓倍比の組み合わせ数を限定する必要があるため、生成できる周波数種が限られる。一つの解決手段として、負荷をグループ分けし、グループ毎の周波数を設定する方法がある。しかし、この方法では、グループ内の同一周波数によってフラットケーブルから放射されるＥＭＩの重畳を防止することが困難となる。
【００２８】
実際のライン走査型インクジェット記録装置では記録媒体１の幅に合わせ、約２００個のインクジェット記録ヘッド１５が設けられている。この場合、放射ＥＭＩの重畳を抑制するために、インクジェット記録ヘッド１５と同じ数のクロック周波数を設定する。しかし、分周逓倍比の組み合わせの更なる細分化が必要となるうえ、発生するジッタも、より大きくなるため、現実的ではない。
【００２９】
そこで、約２００個のインクジェット記録ヘッド１５に対し、放射ＥＭＩの重畳を抑制する一つの手段として、２００個を、２０個を一つのグループとする１０グループに分け、グループ毎に周波数を設定する。しかし、この方法では、グループ内の２０個のインクジェット記録ヘッド１５を駆動するための２０本の多芯フラットケーブル１９からは、同一周波数のＥＭＩが放射され、重畳が起きＥＭＩレベルが高くなるおそれがある。
【００３０】
図６は、第１の実施の形態のインクジェット記録装置における、インクジェット記録ヘッドＭｄ８の側面図である。インクジェット記録ヘッドＭｄ８は、駆動制御基板１８と、多芯フラットケーブル１９と、インクジェット記録ヘッド１５とを有している。なお、図６は、図面の簡略化を図るため、駆動制御基板１８とインクジェット記録ヘッド１５を一対一の関係で図示している。
【００３１】
駆動制御基板１８は、各ヘッドの特性に応じた駆動波形を生成するＤ／Ａコンバータ３７と、Ｄ／Ａコンバータ３７から出力されるアナログ信号を電圧増幅部であるオペアンプ２４とを有している。また、駆動制御基板１８は、オペアンプ２４から出力される駆動波形電圧を電流増幅し、インクジェット記録ヘッド１５内の圧電素子へ供給するＭＯＳＦＥＴである電流増幅部２２を有している。また、駆動制御基板１８は、電流増幅部２２の損失として発せられるジュール熱を冷却する冷却フィン２１と、圧電素子への電流供給を補助する電解コンデンサ２３とを有している。
【００３２】
また、駆動制御基板１８は、上位制御部であるコントローラから送信される画像データと基準クロック周波数から設定された各周波数のシリアライズ処理を実施し、インクジェット記録ヘッド１５へ送信する送信側ＦＰＧＡ３６を有している。また、駆動制御基板１８は、インクジェット記録ヘッド１５と電気的接続を図るための多芯フラットケーブル１９を着脱するコネクタ２５を有している。
【００３３】
多芯フラットケーブル１９は、圧電素子への駆動波形と画像データ、およびクロック周波数を同一ケーブルで伝送するために、多芯で構成されている。
【００３４】
インクジェット記録ヘッド１５は、送信された画像データと各周波数のデシリアライズ処理を実施する受信側ＦＰＧＡ２９が設けられたヘッド基板３０と、フレキシブルプリント基板３１と、インクが充填されたインクタンク３３とを有している。また、インクジェット記録ヘッド１５は、インクを供給するためのジョイント部３２と、フレキシブルプリント基板３１を介して一体化した圧電素子駆動ＩＣ基板３４と、ヘッド部３５とを有している。また、インクジェット記録ヘッド１５は、多芯フラットケーブル１９を着脱するコネクタ２６を有している。
【００３５】
ヘッド基板３０は、インクタンク３３の側面にタッピンネジ２８にて固定される。ヘッド基板３０と圧電素子駆動ＩＣ基板３４を電気的に接続するフレキシブルプリント基板３１は、柔軟な素材で構成された基板であり、容易に折り曲げることが可能である。この実施の形態のインクジェット記録装置の場合、駆動波形生成部（電流増幅部２２および冷却フィン２１）をインクジェット記録ヘッド１５の外側に実装している。更に、この実施の形態のインクジェット記録装置は、リジッド基板とフレキシブルプリント基板３１を一体化した基板を使用する（コネクタを設けない）ことで、インクジェット記録ヘッドの小型化を実現している。
【００３６】
図７は、インクジェット記録ヘッドＭｄ８の機能ブロック図である。図７において、画像データは、上位制御部であるコントローラ３８から、駆動制御基板１８に設けられた送信側ＦＰＧＡ３６に伝送される。送信側ＦＰＧＡ３６は、主に、発信器（ＯＳＣ）３９からの基準クロックに基づいて、画像データを処理する画像データ処理Ｍｄと、基準クロック周波数とは異なる周波数を設定する周波数設定Ｍｄ４０とを有する。また、送信側ＦＰＧＡ３６は、設定された周波数のスペクトラムを拡散するＳＳＣＧ設定Ｍｄと、パラレル信号をシリアル信号に変換するシリアライザ４１と、画像データに応じて駆動波形データを制御する駆動波形制御Ｍｄを有する。
【００３７】
駆動波形データは、Ｄ／Ａコンバータ３７によりアナログ電圧に変換され、電圧増幅部であるオペアンプ２４および電流増幅であるＭＯＳＦＥＴ２２により、インクジェット記録ヘッド１５に印加するための駆動波形電圧に変換される。処理された画像データと、周波数設定Ｍｄ４０と、ＳＳＣＧ設定Ｍｄにより設定された設定周波数は、シリアライザ４１によりシリアル変換される。そして、アナログ信号である駆動波形電圧と、同一の多芯フラットケーブル１９を介してヘッド基板３０に伝送される。
【００３８】
受信側ＦＰＧＡ２９内では、受信したシリアル信号をデシリアライザ４２によりパラレル変換し、圧電素子駆動ＩＣのレジスタにセットする。圧電素子駆動ＩＣでは画像データに応じてセレクタによりアナログスイッチ４３をＯＮまたはＯＦＦし、圧電素子部４４へ伝送される駆動波形電圧を制御することで、インクを吐出し画像を形成する。
【００３９】
この実施の形態のインクジェット記録装置では、複数のヘッド基板３０をグループ分けし、グループ毎に上位の駆動制御基板１８の周波数設定Ｍｄ４０により周波数を設定する。グループ分け方法の一例として、図３に示したインクジェット記録ヘッド１５の配置構成において、同一インク色のインクジェット記録ヘッドを同一グループとする。
【００４０】
すなわち、一例として、第１のヘッド基板を設けたインクジェット記録ヘッド１５はブラックとする。第２のヘッド基板を設けたインクジェット記録ヘッド１５は、シアンとする。第３のヘッド基板を設けたインクジェット記録ヘッド１５は、マゼンダとする。そして、第４のヘッド基板を設けたインクジェット記録ヘッド１５は、イエローとする。この場合、各ヘッド基板へ伝送するクロック信号のクロック周波数を、それぞれ異なる値に設定する。
【００４１】
グループ分け方法の他の例として、図３に示したインクジェット記録ヘッド１５の配置構成において、隣接するインクジェット記録ヘッド１５を異なるグループとし、クロック周波数を異なる値に設定する。すなわち、第１〜第４のヘッド基板が、同一インク色（例えばブラック）のインクジェット記録ヘッド１５を駆動する場合、各ヘッド基板へ伝送するクロック周波数を、それぞれ異なる値に設定する。
【００４２】
図８は、上述のグループ毎に設定されるクロック周波数のクロック信号の波形図である。図８の（ａ）の符号を付した図面に示すように、ＯＳＣ３９で生成される基準クロック周波数ｆ０に対し、周波数設定Ｍｄ４０により、グループ毎にクロック周波数を設定する。この実施の形態のインクジェット記録装置では、一枚の駆動制御基板１８に対し、４枚のヘッド基板３０を接続している。このため。各ヘッド基板３０のグループに設定されるクロック周波数は、例えばグループＡのクロック周波数を、図８の（ｂ）の符号を付した図面に示すように、クロック周波数ｆαとする。
【００４３】
また、グループＢのクロック周波数を、図８の（ｃ）の符号を付した図面に示すように、クロック周波数ｆβとする。また、グループＣのクロック周波数を、図８の符号（ｄ）を付した図面に示すように、クロック周波数ｆγとする。また、グループＤのクロック周波数を、図８の符号（ｅ）を付した図面に示すように、クロック周波数ｆδとする。
【００４４】
図８の（ｂ）の符号を付した図面に示すクロック周波数ｆαと、図８の（ｃ）の符号を付した図面に示すクロック周波数ｆβは、図８の（ａ）の符号を付した図面に示す基準クロック周波数ｆ０より高く設定されている。また、図８の（ｄ）の符号を付した図面に示すクロック周波数ｆγと、図８の（ｅ）の符号を付した図面に示すクロック周波数ｆδは、図８の（ａ）の符号を付した図面に示す基準クロック周波数ｆ０より低く設定されている。また、基準クロック周波数ｆ０との大小関係は問わない。
【００４５】
なお、駆動制御基板１８内の画像データ処理Ｍｄおよび駆動波形制御Ｍｄは、ＯＳＣ３９が生成する基準クロックと同期処理している。このため、画像データ処理Ｍｄおよび駆動波形制御Ｍｄによる基準クロック周波数ｆ０のＥＭＩ放射、および重畳を抑制するために、各ヘッド基板に設定される周波数（ｆα〜ｆδ）は、基準クロック周波数ｆ０と異なる値に設定されている。
【００４６】
図９は、第１の実施の形態のインクジェット記録装置における、送信側ＦＰＧＡ３６と受信側ＦＰＧＡ２９の動作を示すフローチャートである。図９のフローチャートにおいて、電源ＯＮ後、駆動制御基板１８の送信側ＦＰＧＡ３６とヘッド基板３０の受信側ＦＰＧＡ２９をコンフィグレーションし（ステップＳ１）、それぞれのＦＰＧＡをリセットする（ステップＳ２）。リセット完了後、各ヘッド基板３０のグループを確認する（ステップＳ３）。グループ情報は、予めヘッド基板３０毎に、受信側ＦＰＧＡ２９に書き込み済みである。
【００４７】
この実施の形態のインクジェット記録装置では、ヘッド基板３０に対してグループＡであるか否かを判別し（ステップＳ４）、Ｙｅｓならば、図８の（ｂ）の符号を付した図面に示したクロック周波数αに設定する（ステップＳ５）。そして、ＳＳＣＧ設定し（ステップＳ６）、スタンバイ状態に移行する（ステップＳ８）。なお、ノイズ等により任意のクロック周波数が設定されない場合は、ステップＳ７でエラーが発生したものと判別し、上位制御部に報告する（ステップＳ７：Ｙｅｓ）。ステップＳ６でＳＳＣＧ設定後、ステップＳ７でエラーが発生しないものと判別した場合は（ステップＳ７：Ｎｏ）、ステップＳ８に進み、スタンバイ状態に移行する。
【００４８】
これに対して、ステップＳ４でヘッド基板３０に対してグループＡでないものと判別した場合、ステップＳ９に処理を進め、ヘッド基板３０に対してグループＢであるか否かを判別する。Ｙｅｓならば、図８の（ｃ）の符号を付した図面に示したクロック周波数βに設定する（ステップＳ１０）。そして、ＳＳＣＧ設定し（ステップＳ１１）、任意のクロック周波数が設定された場合（ステップＳ１２：Ｎｏ）、エラーが発生していないため、スタンバイ状態に移行する（ステップＳ８）。なお、ノイズ等により任意のクロック周波数が設定されない場合、エラーが発生したものと判別し（ステップＳ１２：Ｙｅｓ）、上位制御部に報告する。
【００４９】
また、ステップＳ９でヘッド基板３０に対してグループＢでないものと判別した場合、ステップＳ１３に処理を進め、ヘッド基板３０に対してグループＣであるか否かを判別する。Ｙｅｓならば、図８の（ｄ）の符号を付した図面に示したクロック周波数γに設定する（ステップＳ１４）。そして、ＳＳＣＧ設定し（ステップＳ１５）、任意のクロック周波数が設定された場合（ステップＳ１６：Ｎｏ）、エラーが発生していないため、スタンバイ状態に移行する（ステップＳ８）。なお、ノイズ等により任意のクロック周波数が設定されない場合（ステップＳ１６：Ｙｅｓ）、エラーが発生したものと判別し、上位制御部に報告する。
【００５０】
また、ステップＳ１３でヘッド基板３０に対してグループＣでないものと判別した場合、ステップＳ１７に処理を進め、ヘッド基板３０に対してグループＤであるものと判別する。そして、図８の（ｅ）の符号を付した図面に示したクロック周波数δに設定する（ステップＳ１８）。また、ＳＳＣＧ設定し（ステップＳ１９）、任意のクロック周波数が設定された場合（ステップＳ２０：Ｎｏ）、エラーが発生していないため、スタンバイ状態に移行する（ステップＳ８）。なお、ノイズ等により任意のクロック周波数が設定されない場合（ステップＳ２０：Ｙｅｓ）、エラーが発生したものと判別し、上位制御部に報告する。
【００５１】
図１０は、多芯フラットケーブル１９のケーブル断面図である。図１０に示すように、多芯フラットケーブル１９は、線番１〜線番Ｚ（Ｚは、２以上の自然数）の多芯で形成されている。実施の形態のインクジェット記録装置では、一端側（線番１側）が、駆動制御基板１８より生成された駆動波形電圧等を伝送するアナログ系信号ラインとなっている。また、他端側（線番Ｚ側）が、画像データおよび設定された周波数のクロック信号等のデジタル信号を伝送するデジタル系信号ラインとなっている。
【００５２】
すなわち、多芯フラットケーブル１９は、複数のアナログ信号ラインおよびグランドラインを備えたアナログ系信号ラインと、複数のデジタル信号ラインを備えたデジタル系信号ラインとに二分されている。
【００５３】
また、アナログ系信号ラインでは、アナログ信号ライン（図１０中、○印のライン）と、グランドライン（ＧＮＤ：図１０中、●印のライン）とが交互に配置されている。これにより、隣接する駆動波形電圧同士による電気的クロストークを抑制している。
【００５４】
図１１は、第１の実施の形態のインクジェット記録装置に設けられている多芯フラットケーブル１９の断面図である。第１の実施の形態では、図１１に示すように、アナログ系信号ライン（線番１側）が外側となるように、駆動制御基板１８からヘッド基板３０への信号送信方向Ａと返信方向Ｂに対して垂直の方向Ｃに、多芯フラットケーブル１９を２回以上折畳んで設けている。
【００５５】
これにより、内側の画像データおよび設定された周波数のクロック信号等のデジタル系信号ラインから放射されるＥＭＩ４５を、外側のアナログ系信号ラインに配置されたＧＮＤラインでシールドすることができる。このため、多芯フラットケーブル１９がケーブル単体として放射するＥＭＩ４６を抑制することができる。
【００５６】
以上の説明から明らかなように、第１の実施の形態のインクジェット記録装置は、多数接続される負荷をグループ分けし、グループ毎に周波数を設定することで、ＥＭＩの重畳を抑制することができる。また、多芯フラットケーブル１９を、アナログ信号系ラインとデジタル系信号ラインとに分けることにより、隣接する駆動波形電圧同士による電気的クロストークを抑制することができる。さらに、多芯フラットケーブル１９を、アナログ系信号ライン（線番１側）が外側となるように、２回以上折畳んだ形状とする。これにより、内側のデジタル系信号ラインから放射されるＥＭＩを、外側のアナログ系信号ラインに配置されたＧＮＤラインでシールドすることができる。このため、多芯フラットケーブル１９がケーブル単体として放射するＥＭＩを抑制することができる。
【００５７】
なお、本願発明の出願人が、負荷として約２００個のインクジェット記録ヘッド１５を設けた機器において、試作実験を図ったところ、１００ＭＨｚ〜２００ＭＨｚの周波数帯域で５〜１０ｄＢ程度のＥＭＩ抑制効果を得られることが確認された。
【００５８】
（第２の実施の形態）
次に、第２の実施の形態のインクジェット記録装置の説明をする。この第２の実施の形態のインクジェット記録装置は、第１の実施の形態で説明したように折畳んだ多芯フラットケーブル１９同士を２本重ねたものである。なお、上述の第１の実施の形態と以下に説明する第２の実施の形態とでは、この点のみが異なる。このため、以下、この差異の説明のみ行い、重複説明は省略する。
【００５９】
すなわち、この第２の実施の形態のインクジェット記録装置の場合、図１２に示すようにアナログ系信号ライン（線番１側）が外側となるように、２回以上折畳んだ多芯フラットケーブル１９同士を２本重ねて形成している。
【００６０】
これにより、各多芯フラットケーブル１９のケーブルの接触領域４７では、互いのケーブルから放射されるＥＭＩ４６を互いにシールドできるため、更なるＥＭＩ抑制効果を得ることができる他、上述の第１の実施の形態と同じ効果を得ることができる。
【００６１】
（第３の実施の形態）
次に、第３の実施の形態のインクジェット記録装置の説明をする。この第３の実施の形態のインクジェット記録装置は、多芯フラットケーブル１９を渦巻き状に巻回した形状としたものである。なお、上述の各実施の形態と以下に説明する第３の実施の形態とでは、この点のみが異なる。このため、以下、この差異の説明のみ行い、重複説明は省略する。
【００６２】
第３の実施の形態の場合、図１３に示すようにアナログ系信号ライン（線番１側）が外側となるように、駆動制御基板１８からヘッド基板３０への信号送信方向Ａと返信方向Ｂに対して垂直の方向Ｃに、多芯フラットケーブル１９を渦巻き状に巻いた形状としている。
【００６３】
これにより、内側の画像データおよび設定された周波数のクロック信号等のデジタル系信号ラインから放射されるＥＭＩ４８を、外側のアナログ系信号ラインに配置されたＧＮＤラインでシールドすることができる。このため、ケーブル単体として放射されるＥＭＩ４９を抑制できる他、上述の各実施の形態と同様の効果を得ることができる。
【００６４】
（第４の実施の形態）
次に、第４の実施の形態のインクジェット記録装置の説明をする。この第４の実施の形態のインクジェット記録装置は、渦巻き状にした多芯フラットケーブル１９同士を２本束ねたものである。なお、上述の第３の実施の形態と以下に説明する第４の実施の形態とでは、この点のみが異なる。このため、以下、この差異の説明のみ行い、重複説明は省略する。
【００６５】
第４の実施の形態の場合、図１４に示すようにアナログ系信号ライン（線番１側）が外側となるように渦巻き状に巻いた形状とした多芯フラットケーブル１９を、２本束ねている。
【００６６】
これにより、多数の負荷を接続する場合に、渦巻き状に巻いた形状とした各多芯フラットケーブル１９の接触領域５０において、互いのケーブルから放射されるＥＭＩ４９を互いにシールドできる。このため、更なるＥＭＩ抑制効果を得ることができる他、上述の各実施の形態と同様の効果を得ることができる。
【００６７】
上述の各実施の形態は、例として提示したものであり、発明の範囲を限定することは意図していない。この新規な各実施の形態は、その他の様々な形態で実施されることが可能であり、発明の要旨を逸脱しない範囲で、種々の省略、置き換え、変更を行うことも可能である。各実施の形態および各実施の形態の変形は、発明の範囲や要旨に含まれると共に、特許請求の範囲に記載された発明とその均等の範囲に含まれる。
【符号の説明】
【００６８】
Ｘ  本体
１  記録媒体
２  記録媒体供給部
３  規制ガイド
４  インフィード部
５  ダンサローラ
６  ＥＰＣ
７  蛇行量検出器
８  インクジェット記録ヘッドモジュール
９  プラテン
１０  乾燥Ｍｄ
１１  アウトフィード部
１２  プラー
１３  記録媒体回収部
１４Ｙ  イエロー用ヘッドアレイ
１４Ｃ  シアン用ヘッドアレイ
１４Ｋ  ブラック用ヘッドアレイ
１４Ｍ  マゼンダ用ヘッドアレイ
１５  インクジェット記録ヘッド
１６  印字ノズル
１７  ノズル面
１８  駆動制御基板
１９  多芯フラットケーブル
２０  アジャストプレート
２１  冷却フィン
２２  電流増幅部
２３  電解コンデンサ
２４  オペアンプ
２５  コネクタ
２６  コネクタ
２８  タッピンネジ
３０  ヘッド基板
３１  フレキシブルプリント基板
３２  ジョイント部
３３  インクタンク
３４  基板
３５  ヘッド部
３７  コンバータ
３８  コントローラ
４１  シリアライザ
４２  デシリアライザ
４３  アナログスイッチ
４４  圧電素子部
４７  接触領域
５０  接触領域
【先行技術文献】
【特許文献】
【００６９】
【特許文献１】特開２００６−１０６３３１号公報
【特許文献２】特開２００４−１２２５８４号公報
【図１】
2015054465.tif 000003
【図２】
2015054465.tif 000004
【図３】
2015054465.tif 000005
【図４】
2015054465.tif 000006
【図５】
2015054465.tif 000007
【図６】
2015054465.tif 000008
【図７】
2015054465.tif 000009
【図８】
2015054465.tif 000010
【図９】
2015054465.tif 000011
【図１０】
2015054465.tif 000012
【図１１】
2015054465.tif 000013
【図１２】
2015054465.tif 000014
【図１３】
2015054465.tif 000015
【図１４】
2015054465.tif 000016